(57)【要約】【課題】ＡＶ信号の記録再生装置において、再生用データに異常が生じた場合の再生停止を防止し、また画面の乱れや画面上のノイズの発生防止を図る。【解決手段】記録時に、アナログＡＶ信号のＡ／Ｄ変換と記憶部８への記憶（Ｓ１０１〜Ｓ１０３）、圧縮処理部におけるデータの圧縮と記録（Ｓ１０４〜Ｓ１０８）、また再生時に伸張処理部及びＤ／Ａ変換手段による伸張再生（Ｓ２０１〜Ｓ４０５）が行われる。圧縮処理部は符号化データ（フレームデータ）毎にヘッダを付加して記録する（Ｓ１０６）。伸張処理部は伸張再生時に各フレームについてヘッダ検出を行い（Ｓ３０２）、ヘッダを検出できないとき再生をポーズする。このとき制御部がヘッダの記録されている次のフレームを検索し（Ｓ５０３）、ヘッダ検出時にポーズが解除される（Ｓ５０６）。【選択図】  図２
2004206783.tif 000002
【特許請求の範囲】
【請求項１】
外部機器から入力されたアナログ方式のＡＶ信号をデジタル方式の信号に変換するＡ／Ｄ変換手段と、
アンテナから入力されたアナログ方式放送の選局と受信を行い、デジタル方式のＡＶ信号を生成するチューナＡ／Ｄ変換手段と、
前記Ａ／Ｄ変換手段又はチューナＡ／Ｄ変換手段から出力されるＡＶ信号を圧縮処理により符号化データを生成してハードディスク記録媒体に記録する圧縮処理部と、
前記ハードディスク記録媒体に記録された符号化データを読み出し伸張して再生する伸張処理部と、
前記伸張処理部が伸張したＡＶ信号をアナログ方式の信号に変換して外部出力機器に送出するＤ／Ａ変換手段と、
前記圧縮処理部と伸張処理部が処理するデータを記憶する記憶部と、
前記各変換手段、処理部、及び記憶部を制御する制御部と、を備えたＡＶ信号記録再生装置において、
前記圧縮処理部は符号化データをハードディスク記録媒体に記録する際に各フレーム毎に所定のヘッダを付加し、
前記伸張処理部は符号化データを伸張再生する際に各フレームについてヘッダ検出を行い、ヘッダを検出できない場合には当該フレームの再生をポーズし、
前記制御部は前記フレーム再生ポーズ時にヘッダが記録されている次のフレームを検索してヘッダが検出されたなら前記伸張処理部のポーズを解除することを特徴とする記録再生装置。
【請求項２】
ＡＶ信号をフレーム毎にエンコードして生成した符号化データを、ランダムアクセス可能な記録媒体に記録するとともに、前記記録媒体に記録されている前記符号化データを再生してデコードする記録再生装置において、符号化データを記録媒体に記録する際に各フレーム毎に所定のヘッダを付加し、符号化データを伸張再生する際に各フレームについてヘッダ検出を行い、ヘッダを検出できない場合には当該フレームの再生をポーズしてヘッダが記録されている次のフレームを検索し、ヘッダが検出されたときにポーズを解除することを特徴とする記録再生装置。
【請求項３】
前記符号化データを生成する方式はＭＰＥＧ方式であり、前記記録媒体はハードディスクであることを特徴とする請求項２記載の記録再生装置。
【発明の詳細な説明】
【０００１】
【発明の属する技術分野】
本発明は、アナログ方式の外部ＡＶ（オーディオ・ビデオ）信号又は放送を受信したＡＶ信号をリアルタイムに圧縮しデジタル信号にしてランダムアクセス可能な記録媒体に記録、また再生する記録再生装置に関する。
【０００２】
【従来の技術】
従来、ランダムアクセス可能な記録媒体にＡＶ信号を記録し、また再生する装置として、ハードディスク（ＨＤＤ）や光ディスクを用いる装置が知られている。これらの装置を用いて、受信したアナログ方式のテレビ放送をリアルタイムでデジタル信号に変換すると共に圧縮して記録しながら、同時に、記録した映像等を読み出して再生する装置が実用化されている。このような記録再生装置を用いてＡＶ信号を再生するときに、何らかの理由により記録媒体に生じたデータ書き込み時の不良や読み出し時の不具合により、不良データを再生しようとして画面に映像が表示されなかったり、最悪の場合その時点で再生が止まることがある。このような場合、音声再生装置における光ディスク再生装置の例では、光ディスク装置内部にデータを置き換える働きをする置換回路を設けることで、光ディスク装置内部のエラー訂正回路によっても訂正できないようなエラーが発生した場合に置換回路により予め用意されていた無効データを代わりに出力するものがある（例えば、特許文献１）。また、ＭＤディスクで再生中に読み出しエラーが発生した場合には、読み出すセクターとその前後セクターとの間に連続性があるかどうか調べて、連続性がある場合には読み出すセクターよりも少し前のセクターより読み出しを再開するものが知られている（例えば、特許文献２参照）。
【０００３】
【特許文献１】
特開平６−３３８１４６号公報
【特許文献２】
特開平６−３３８１４９号公報
【０００４】
【発明が解決しようとする課題】
しかしながら、上述したような光ディスク再生装置やＭＤディスク再生装置の例では、ディスクからの音響データの読み出しに際して発生したエラーを読み出しのリトライを繰り返すことによって再生処理の進行が停止してしまったり、読み出しを失敗した時点で処理をストップしてしまうのを回避するのを主な目的としている。従来のこのような再生停止を回避する方法は、データの置き換えを図ったり、読み出しリトライ回数の制限をし、前後のデータでエラーデータを代替させるものであり、大量のデータを迅速に処理する必要のある映像を中心とするＡＶ信号をリアルタイムに圧縮したデジタル信号にしてランダムアクセス可能な記録媒体に記録する一方、再生をも行う記録再生装置においては、不十分な対策しかすることができない。画面のちらつきや異常表示（画面が真っ黒になるブラックアウト等）に対する人の感受性は、聴覚よりも視覚がより鋭敏なこともあり、音響再生よりも滑らかな再生処理ができるデータ異常時の停止対策の実現が望まれていた。
【０００５】
本発明は、上記課題を解消するものであって、簡単な構成により、再生用データに異常が生じた場合に再生が止まることを防止でき、また、画面の乱れや画面上のノイズの発生を防止できる記録再生装置を提供することを目的とする。
【０００６】
【課題を解決するための手段及び発明の効果】
上記課題を達成するために、請求項１の発明は、外部機器から入力されたアナログ方式のＡＶ信号をデジタル方式の信号に変換するＡ／Ｄ変換手段と、アンテナから入力されたアナログ方式放送の選局と受信を行い、デジタル方式のＡＶ信号を生成するチューナＡ／Ｄ変換手段と、前記Ａ／Ｄ変換手段又はチューナＡ／Ｄ変換手段から出力されるＡＶ信号を圧縮処理により符号化データを生成してハードディスク記録媒体に記録する圧縮処理部と、前記ハードディスク記録媒体に記録された符号化データを読み出し伸張して再生する伸張処理部と、前記伸張処理部が伸張したＡＶ信号をアナログ方式の信号に変換して外部出力機器に送出するＤ／Ａ変換手段と、前記圧縮処理部と伸張処理部が処理するデータを記憶する記憶部と、前記各変換手段、処理部、及び記憶部を制御する制御部と、を備えたＡＶ信号記録再生装置において、前記圧縮処理部は符号化データをハードディスク記録媒体に記録する際に各フレーム毎に所定のヘッダを付加し、前記伸張処理部は符号化データを伸張再生する際に各フレームについてヘッダ検出を行い、ヘッダを検出できない場合には当該フレームの再生をポーズし、前記制御部は前記フレーム再生ポーズ時にヘッダが記録されている次のフレームを検索してヘッダが検出されたなら前記伸張処理部のポーズを解除する記録再生装置である。
【０００７】
上記構成においては、圧縮処理部は符号化データをハードディスク記録媒体に記録する際に各フレーム毎に所定のヘッダを付加し、伸張処理部は符号化データを伸張再生する際に各フレームについてヘッダ検出を行うので、ヘッダの有無によりデータ異常の有無を検知することができ、ヘッダが検出されなかった場合に、ヘッダが存在する次のフレームデータを探して伸張再生することにより、ＡＶ信号の記録再生装置において、再生用データに異常が生じた場合の再生停止を防止し、また画面の乱れや画面上のノイズの発生防止を図ることができる。
【０００８】
請求項２の発明は、ＡＶ信号をフレーム毎にエンコードして生成した符号化データを、ランダムアクセス可能な記録媒体に記録するとともに、前記記録媒体に記録されている前記符号化データを再生してデコードする記録再生装置において、符号化データを記録媒体に記録する際に各フレーム毎に所定のヘッダを付加し、符号化データを伸張再生する際に各フレームについてヘッダ検出を行い、ヘッダを検出できない場合には当該フレームの再生をポーズしてヘッダが記録されている次のフレームを検索し、ヘッダが検出されたときにポーズを解除する記録再生装置である。
【０００９】
上記構成においては、ＡＶ信号をフレーム毎にエンコードして生成した符号化データをランダムアクセス可能な記録媒体に記録する際に各フレーム毎に所定のヘッダを付加し、符号化データを伸張再生する際に各フレームについてヘッダ検出を行うので、ヘッダの有無によりデータ異常の有無を検知することができ、ヘッダが検出されなかった場合に、ヘッダが存在する次のフレームデータを探して伸張再生することにより、ＡＶ信号の記録再生装置において、再生用データに異常が生じた場合の再生停止を防止し、また画面の乱れや画面上のノイズの発生防止を図ることができる。
【００１０】
請求項３の発明は、請求項２記載の記録再生装置において、前記符号化データを生成する方式はＭＰＥＧ方式であり、前記記録媒体はハードディスクである。
【００１１】
上記構成においては、前記同様の効果を得ることができる。
【００１２】
【発明の実施の形態】
以下、本発明の一実施形態に係るＡＶ信号用の記録再生装置について、図面を参照して説明する。図１は記録再生装置のブロック構成図を示す。記録再生装置１は、外部機器から入力されたアナログ方式のＡＶ信号をデジタル方式の信号に変換するＡ／Ｄ変換手段２と、アンテナ２０から入力されたアナログ方式放送の選局と受信を行いデジタル方式のＡＶ信号を生成するチューナＡ／Ｄ変換手段３と、これらのいずれかから出力されたＡＶ信号を圧縮し符号化データを生成する圧縮処理部４とをＡＶ信号の入力及び記録処理用として備えている。また、記録再生装置１は、記録媒体に記録された符号化データを読み出し伸張して再生する伸張処理部６と、伸張したＡＶ信号をアナログ方式の信号に変換して外部出力機器３０に送出するＤ／Ａ変換手段７とを再生用として備えている。さらに、記録再生装置１は、符号化データを記録するハードディスク記録媒体５と、前記圧縮処理部４と伸張処理部６が処理するデータを記憶する記憶部８と、前記変換手段から記憶部に至る各部を制御する制御部９とを備えている。本装置は、ＤＶＤディスク４１を再生するＤＶＤ再生装置４０等を備えた、多機能ＡＶ記録再生装置とすることもできる。
【００１３】
次に、上述した記録再生装置１の動作を説明する。図２は記録再生の制御フローを示す。ステップＳ１０１〜Ｓ１０３ではＡＶ信号入力から記憶、ステップＳ１０４〜Ｓ１０８ではデータの圧縮と記録、ステップＳ２０１〜Ｓ４０５ではデータ伸張と再生、ステップ５０１〜Ｓ５０５ではデータ検索が行われる。これらの大きく４つのフローからなる処理が制御部９の制御のもとで行われる。外部入力又はアンテナ及びチューナからアナログ方式のＡＶ信号が入力されると（Ｓ１０１）、この信号はＡ／Ｄ変換されてデジタル信号となり（Ｓ１０２）、記憶部８に時系列データとして次々と記憶される（Ｓ１０３）。記憶部８は、圧縮待ちデータの一時保管場所である。ここに記憶されたデータは、圧縮処理するために所定のデータ量だけ圧縮処理部に読み込まれ（Ｓ１０４）、１フレームデータ（１-frame data）ＦＤ（ｎ）毎に圧縮され（Ｓ１０５）、各１フレームデータＦＤ（ｎ）に対して、ヘッダデータ（header data）ＨＤ（ｎ）が生成されて記録部５のハードディスクＨＤＤに記録される（Ｓ１０６）と共に１フレームデータＦＤ（ｎ）がハードディスクＨＤＤに記録される（Ｓ１０７）。この後、次の所定のデータ量が記憶部８から読み込まれ、前記同様に圧縮と記録の処理が繰り返されることによって、ＡＶ信号のリアルタイム記録が行われる。
【００１４】
また、記録されたＡＶ信号の伸張再生は、前記のＡＶ信号のリアルタイム記録処理と同時平行して、又は、記録処理の行われていない時に単独で、行われる。装置の操作者からの再生スタート指令に従って、制御部は記録部５から所定のデータ量を読み出し（Ｓ２０１）、記憶部８に次々と記憶させる（Ｓ２０２）。記憶部８は、伸張待ちデータの一時保管場所にもなっている。伸張処理部６は、所定量のデータを記憶部８から読み込み（Ｓ３０１）、ヘッダデータＨＤ（ｍ）を検索し、ヘッダデータＨＤ（ｍ）を検出した場合（Ｓ３０２でｙｅｓ）、１フレームデータＦＤ（ｍ）の伸張（Ｓ３０３）、Ｄ／Ａ変換（Ｓ３０４）を行った後、アナログのＡＶ信号となった１フレームデータを外部出力機器３０に出力（Ｓ３０５）する。この後、次の所定のデータ量が記憶部８から読み込まれ、前記同様に伸張と再生の処理が繰り返される。
【００１５】
ステップ３０２でヘッダデータＨＤ（ｍ）が検出されなかった場合、伸張処理部６は再生（playback）をポーズ（pause）し（Ｓ４０１）、ヘッダデータ検出が失敗したことをエラーメッセージで制御部９に連絡する（Ｓ４０２）。一方、エラーメッセージを受け取った制御部９は、記憶部８においてヘッダデータが記憶されている次のデータアドレスを検索する（Ｓ５０１〜Ｓ５０３）。制御部９は、次のヘッダデータＨＤ（ｍ’）を検出した場合（Ｓ５０５でｙｅｓ）、ヘッダデータＨＤ（ｍ’）と１フレームデータＦＤ（ｍ’）又はそれらのメモリアドレスを伸張処理部６に渡すと共に、ポーズ解除指令を伸張処理部６に送る（Ｓ５０６）。すると、指令待ちをしていた伸張処理部６はポーズ解除すると共に（Ｓ４０４〜Ｓ４０５）、１フレームデータＦＤ（ｍ）（＝ＦＤ（ｍ’））の伸張を行い（Ｓ３０３）、以下前述の伸張再生フローを繰り返す。
【００１６】
このように、ヘッダの有無によりデータ異常の有無を検知し、ヘッダが検出されなかった場合に、ヘッダが存在する次のフレームデータを探して伸張再生することにより、ＡＶ信号の記録再生装置において、再生用データに異常が生じた場合の再生停止を防止し、また画面に何も表示されない状態やノイズ、画面の乱れの発生防止を図ることができる。
【図面の簡単な説明】
【図１】本発明の一実施形態による記録再生装置のブロック構成図。
【図２】同上装置における記録再生処理のフロー図。
【符号の説明】
１  記録再生装置
２  Ａ／Ｄ変換手段
３  チューナＡ／Ｄ変換手段
５  ハードディスク記録媒体
４  圧縮処理部
６  伸張処理部
７  Ｄ／Ａ変換手段
８  記憶部
２０  アンテナ
【図１】
2004206783.tif 000003
【図２】
2004206783.tif 000004